(57)【特許請求の範囲】
【請求項１】
ガラスロールからガラスフィルムを巻き出す巻出手段と、巻き出された前記ガラスフィルムの側縁位置を検出する側縁位置検出手段と、前記検出された側縁位置と基準位置との間の幅方向のズレ量に基づいて前記巻出手段の幅方向位置を修正する制御手段とを備えたガラスフィルムの巻きズレ修正装置であって、
前記ガラスフィルムの側縁を含む側縁部の欠陥情報を検出する欠陥情報検出手段を更に備え、
前記制御手段は、前記ガラスフィルムに割れが生じない範囲で、前記ガラスフィルムの所定の単位長さ当りの前記巻出手段の最大修正量を設定するとともに、前記ガラスフィルムの前記単位長さ毎に前記ズレ量と前記最大修正量とを比較し、
前記制御手段は、前記ズレ量が前記最大修正量以下である場合には、その単位長さ区間で前記ズレ量まで前記巻出手段の幅方向位置を修正移動させ、前記ズレ量が前記最大修正量を越える場合には、その単位長さ区間で前記最大修正量まで前記巻出手段の幅方向位置を修正移動させ、前記欠陥情報に基づいて欠陥が検出された場合には、前記最大修正量をこれよりも小さい補助最大修正量に変更するように構成されていることを特徴とするガラスフィルムの巻きズレ修正装置。
【請求項２】
前記最大修正量が、前記ガラスフィルムの巻き出し長さ１ｍ当たり０．０１ｍｍ以上２０ｍｍ以下の範囲に設定されることを特徴とする請求項１に記載のガラスフィルムの巻きズレ修正装置。
【請求項３】
前記補助最大修正量が、前記ガラスフィルムの巻き出し長さ１ｍ当たり０．００１ｍｍ以上２ｍｍ未満の範囲に設定されることを特徴とする請求項１又は２に記載のガラスフィルムの巻きズレ修正装置。
【請求項４】
巻出手段によってガラスロールからガラスフィルムを巻き出しながら前記ガラスフィルムの側縁位置を検出し、前記検出された側縁位置と基準位置との間の幅方向のズレ量に基づいて前記巻出手段の幅方向位置を修正するガラスフィルムの巻きズレ修正方法であって、
前記ガラスフィルムに割れが生じない範囲で、前記ガラスフィルムの所定の単位長さ当りの最大修正量を設定し、
前記ガラスフィルムの前記単位長さ毎に前記ズレ量と前記最大修正量とを比較して、前記ズレ量が前記最大修正量以下である場合には、その単位長さ区間で前記ズレ量まで前記巻出手段の幅方向位置を修正移動させ、前記ズレ量が前記最大修正量を越える場合には、その単位長さ区間で前記最大修正量まで前記巻出手段の幅方向位置を修正移動させ、
前記ガラスフィルムの側縁を含む側縁部の欠陥情報を検出し、前記欠陥情報に基づいて欠陥が検出された場合に、前記最大修正量をこれよりも小さい補助最大修正量に変更することを特徴とするガラスフィルムの巻きズレ修正方法。
【請求項５】
前記ガラスロールから巻き出した前記ガラスフィルムを巻きズレを修正した後に、再度ガラスロールの状態に巻き戻すという工程を繰り返すことで、同一のガラスフィルムに対して複数回に亘って巻きズレ修正工程を実行することを特徴とする請求項４に記載のガラスフィルムの巻きズレ修正方法。
【発明の詳細な説明】
【技術分野】
【０００１】
本発明は、ガラスフィルムの巻きズレを修正する技術に関する。
【背景技術】
【０００２】
周知のように、近年における映像表示装置は、液晶ディスプレイ、プラズマディスプレイ、有機ＥＬディスプレイなどに代表されるフラットパネルディスプレイ（ＦＰＤ）が主流となっている。これらのＦＰＤは、軽量化が推進されていることから、当該ＦＰＤに使用されるガラス基板は、薄板化の一途を辿っているのが現状である。
【０００３】
また、有機ＥＬは、ディスプレイのように微細な三原色をＴＦＴにより明滅させずに、単色（例えば白色）のみで発光させて屋内照明の光源などの平面光源として利用されつつある。そして、有機ＥＬの照明装置は、ガラス基板が可撓性を有すれば、自由に発光面を変形させることが可能であるから、この照明装置に使用されるガラス基板も十分な可撓性確保の観点から大幅な薄板化が推進されている。
【０００４】
そして、このような薄板化の要請を受けて、フィルム状（例えば、厚みが３００μｍ以下）まで薄板化が図られたガラスフィルムが開発されるに至っている。このガラスフィルムは、適度な可撓性を有することから、巻芯の回りにロール状に巻き取ったガラスロールの状態で収容される場合がある（例えば、特許文献１参照）。このようにすれば、ロール・トゥー・ロール（Roll to Roll）装置で、上流側のガラスロールから巻き出したガラスフィルムに対して、切断や成膜などの各種処理を連続的に施すことが可能となり、生産効率の大幅な向上を図ることができる。
【０００５】
しかしながら、ガラスフィルムをガラスロールの状態とすると、ガラスフィルムに巻きズレが生じる場合がある。特に、成形されるガラスフィルムを直接巻き取ってガラスロールを製作した場合には、この巻きズレが顕著になる。これは次の理由による。すなわち、ガラスフィルムは、オーバーフローダウンドロー法やスロットダウンドロー法などのダウンドロー法によって薄板状に成形される。そのため、ガラスフィルムを巻き取る際に張力をかけすぎると（例えば、幅１ｍのガラスフィルムに対して１００Ｎ程度）、成形体付近の軟化状態のガラスフィルムに対して過度な引張り力（張力）が作用し、ガラスフィルムが所望の厚みよりも薄くなったり、場合によっては成形体の下方部で断裂するという致命的な問題が生じる。したがって、成形されるガラスフィルムを直接巻き取ってガラスロールを製作する場合には、ガラスフィルムに十分な張力を掛けて巻き取ることが実用上難しく、巻き取られたガラスフィルムに巻きズレが生じる要因となる。
【０００６】
このようにガラスフィルムに巻きズレが生じた状態のまま、ロール・トゥー・ロール装置などで、ガラスロールからガラスフィルムを巻き出して所定の処理を施すと、種々の不具合が生じる。具体的には、例えば、巻き出したガラスフィルムを所定の幅寸法に切断する場合には、巻き出されたガラスフィルムが巻きズレに起因して幅方向に蛇行するため、直線上に切断できなかったり、蛇行に伴う切断部のガラスフィルムが捻れて割れが発生するなどの切断不良が生じ得る。また、ガラスフィルムの表面に成膜する場合にも、巻き出されたガラスフィルムの表面に蛇行に起因する皺が生じていれば、均質な膜を形成することができずに成膜不良が生じ得る。
【０００７】
そのため、このような不具合を解消するためには、ガラスフィルムをロール・トゥー・ロール装置などで連続的に処理する前に、ガラスフィルムの巻きズレを修正することが必要不可欠となる。しかしながら、ガラスフィルムの分野においては、この種の巻きズレに対する対策が十分に講じられていないのが実情である。そこで、ガラスフィルムの巻きズレを修正するために、樹脂フィルムなどのウエブの巻きズレ修正装置を適用することが考えられる。
【０００８】
従来のウエブの巻きズレ修正装置としては、巻出手段によって巻き出されたウエブの側縁位置を検出し、検出された側縁位置と基準位置との間の幅方向のズレ量に基づいて巻出手段の幅方向位置を修正するように構成されたものが一般的である。そして、この種の巻きズレ修正装置においては、ウエブの巻きズレの修正精度を向上させるために種々の取り組みがなされている。
【０００９】
例えば、特許文献２には、ウエブの搬送速度を検出し、この検出した搬送速度が速くなるに連れて、ウエブの蛇行修正の修正速度を速めることで、ウエブの搬送速度が変化しても一定精度のウエブの蛇行修正を行うことが開示されている。
【００１０】
また、例えば、特許文献３には、ウエブの蛇行状態を検出するセンサ、アクチュエータおよび可動フレームからなる蛇行修正ユニットを２組配置して、ウエブの蛇行状態を２段階に亘って修正し、蛇行修正の精度を高めることが開示されている。
【００１１】
更に、例えば、特許文献４には、ウエブの巻きズレを修正するための巻出装置の移動量を、ウエブ側縁位置検出センサで検出されるウエブのズレ量よりも小さくし（好ましくは、ズレ量の３０〜９０％）、ウエブに過大な修正が与えられるのを防止することが開示されている。
【先行技術文献】
【特許文献】
【００１２】
【特許文献１】特開２０１０−１３２３５０号公報
【特許文献２】特公平６−５７５８０号公報
【特許文献３】特開平５−４３０９５号公報
【特許文献４】特開２００２−２８４４１５号公報
【発明の概要】
【発明が解決しようとする課題】
【００１３】
しかしながら、特許文献２〜４に開示の方法をガラスフィルムに適用した場合には、以下のような問題が生じ得る。
【００１４】
すなわち、特許文献２及び３に開示の方法の場合、ガラスフィルムの巻きズレ量が大きくなるに連れて、所定の単位長さ当りのガラスフィルムの修正量が必然的に大きくなることから、修正動作によってガラスフィルムに局所的に大きな捻じれが生じ、ガラスフィルムが破断を来たすおそれがある。
【００１５】
一方、特許文献４に開示の方法の場合、修正量に常に制限がかかるので、所定の単位長さ当りの修正量が過大になり難い。しかしながら、この方法であっても、ガラスフィルムの巻きズレが特に大きい場合には、修正量の制限が不十分になり、依然として特許文献２及び３と同様に、捻れに耐え切れずにガラスフィルムが破断する事態が生じ得る。更に、同文献に開示の方法の場合には、常に、ガラスフィルムの実際のズレ量よりもガラスフィルムの修正量が小さくなるので、ガラスフィルムの巻きズレが大きい場合には、ガラスフィルムの巻きズレの修正が不十分になる可能性がある。また、ガラスフィルムの巻きズレが小さい場合にも、修正量に制限が課せられるので、高精度な巻きズレの修正を行うことができないという問題がある。
【００１６】
本発明は、以上の実情に鑑み、ガラスフィルムの巻きズレの多少に関わらず、ガラスフィルムに破断を生じさせることなく、精度よく巻きズレを修正することを技術的課題とする。
【課題を解決するための手段】
【００１７】
上記課題を解決するために創案された本発明に係るガラスフィルムの巻きズレ修正装置は、ガラスロールからガラスフィルムを巻き出す巻出手段と、巻き出された前記ガラスフィルムの側縁位置を検出する側縁位置検出手段と、前記検出された側縁位置と基準位置との間の幅方向のズレ量に基づいて前記巻出手段の幅方向位置を修正する制御手段とを備えたガラスフィルムの巻きズレ修正装置であって、前記制御手段は、前記ガラスフィルムに割れが生じない範囲で、前記ガラスフィルムの所定の単位長さ当りの前記巻出手段の最大修正量を設定するとともに、前記ガラスフィルムの前記単位長さ毎に前記ズレ量と前記最大修正量とを比較し、前記ズレ量が前記最大修正量以下である場合には、その単位長さ区間で前記ズレ量まで前記巻出手段の幅方向位置を修正移動させ、前記ズレ量が前記最大修正量を越える場合には、その単位長さ区間で前記最大修正量まで前記巻出手段の幅方向位置を修正移動させるように構成されていることに特徴づけられる。
【００１８】
このような構成によれば、ガラスフィルムの所定の単位長さ当りの巻出手段の最大修正量が、ガラスフィルムに割れが生じない範囲に予め決められる。このガラスフィルムに割れが生じない範囲は、例えばガラスフィルムの厚み、幅、材質等を考慮して決定される。そして、巻き出されたガラスフィルムの単位長さ毎にズレ量と最大修正量とを比較し、ズレ量が最大修正量以下である場合には、その単位長さ区間でズレ量まで巻出手段の幅方向位置が修正移動されるので、ガラスフィルムの修正量が実際のズレ量と等しくなり、ガラスフィルムの巻きズレが精度よく修正される。一方、ズレ量が最大修正量を越える場合には、その単位長さ区間で最大修正量まで巻出手段の幅方向位置が修正移動されるので、ガラスフィルムの割れが生じない範囲で、ガラスフィルムの巻きズレが最大限修正される。
【００１９】
この場合、前記最大修正量は、前記ガラスフィルムの巻き出し長さ１ｍ当たり０．０１ｍｍ以上２０ｍｍ以下の範囲内で設定されることが好ましい。ここで、巻き出し長さ１ｍ当たりとは、所定の単位長さ当たりを意味するものではなく、所定の単位長さ当たりの修正量を、巻き出し長さ１ｍ当たりに換算した場合を意味する。ただし、所定の単位長さが１ｍであっても勿論よい。
【００２０】
最大修正量が、ガラスフィルムの巻き出し長さ１ｍ当たり０．０１ｍｍ未満の場合、ガラスフィルムの巻きズレ修正効率が悪くなるおそれがある。一方、最大修正量が、ガラスフィルムの巻き出し長さ１ｍ当たり２０ｍｍを越える場合、修正動作によってガラスフィルムに生じる応力が大きくなり、ガラスフィルムが破断するおそれがある。したがって、最大修正量は、上記数値範囲であることが好ましく、ガラスフィルムに破断を生じさせることなく、ガラスフィルムの巻きズレを効率よく修正することが可能となる。
【００２１】
上記の方法において、前記ガラスフィルムの側縁を含む側縁部の欠陥情報を検出する欠陥情報検出手段が配置され、前記制御手段が、前記欠陥情報に基づいて欠陥が検出された場合に、前記最大修正量をこれよりも小さい補助最大修正量に変更するように構成されていることが好ましい。なお、補助最大修正量は、単一の値であってもよいが、検出された欠陥サイズなどに応じて値が可変となるようにしてもよい。例えば、欠陥サイズが大きくなるに連れて、ガラスフィルムの破損強度が低下する場合が多いことから、欠陥サイズが大きくなるに連れて、補助最大修正量の値が連続的又は段階的に小さくなるようにしてもよい。
【００２２】
ガラスフィルムの側縁を含む側縁部に欠陥（傷や欠けなど）が存在すれば、ガラスフィルムの破損強度が低下する。そのため、上記の構成のように、ガラスフィルムの側縁部の欠陥情報を検出し、この欠陥情報に基づいて欠陥が検出された場合に、巻出手段の最大修正量をこれよりも小さい補助最大修正量に変更するようにしている。このようにすれば、ガラスフィルムの側縁部に予期せぬ欠陥が存在する場合であっても、巻きズレ修正時にガラスフィルムに破断が生じるのを確実に防止しつつ、ガラスフィルムの巻きズレの修正を実行することができる。
【００２３】
この場合、前記補助最大修正量は、前記ガラスフィルムの巻き出し長さ１ｍ当たり０．００１ｍｍ以上２０ｍｍ未満の範囲内で設定されることが好ましい。ここで、巻き出し長さ１ｍ当たりとは、所定の単位長さ当たりを意味するものではなく、所定の単位長さ当たりの修正量を、巻き出し長さ１ｍ当たりに換算した場合を意味するものとする。ただし、所定の単位長さが１ｍであっても勿論よい。なお、補助最大修正量を、検出された欠陥サイズなどに応じて可変とする場合には、全ての可変値がこの範囲にあることが好ましい（以下、同様）。
【００２４】
上記課題を解決するために創案された本発明に係るガラスフィルムの巻きズレ修正方法は、巻出手段によってガラスロールからガラスフィルムを巻き出しながら前記ガラスフィルムの側縁位置を検出し、前記検出された側縁位置と基準位置との間の幅方向のズレ量に基づいて前記巻出手段の幅方向位置を修正するガラスフィルムの巻きズレ修正方法であって、前記ガラスフィルムに割れが生じない範囲で、前記ガラスフィルムの所定の単位長さ当りの最大修正量を設定するとともに、前記ガラスフィルムの前記単位長さ毎に前記ズレ量と前記最大修正量とを比較して、前記ズレ量が前記最大修正量以下である場合には、その単位長さ区間で前記ズレ量まで前記巻出手段の幅方向位置を修正移動させ、前記ズレ量が前記最大修正量を越える場合には、その単位長さ区間で前記最大修正量まで前記巻出手段の幅方向位置を修正移動させることに特徴づけられる。
【００２５】
このような方法によれば、既に述べた対応する構成と同様の作用効果を享受することができる。
【００２６】
上記の方法において、前記ガラスフィルムの側縁を含む側縁部の欠陥情報を検出するとともに、前記欠陥情報に基づいて欠陥が検出された場合に、前記最大修正量をこれよりも小さい補助最大修正量に変更することが好ましい。
【００２７】
このようにすれば、既に述べた対応する構成と同様の作用効果を享受することができる。
【００２８】
上記の方法において、前記ガラスロールから巻き出した前記ガラスフィルムを巻きズレを修正した後に、再度ガラスロールの状態に巻き戻すという工程を繰り返すことで、同一のガラスフィルムに対して複数回に亘って巻きズレ修正工程を実行するようにしてもよい。
【００２９】
このようにすれば、既述の方法で巻出手段から巻き出されるガラスフィルムの単位長さ当りのズレ量が最大修正量を超える場合でも、最終的にガラスフィルムの全長に亘って精度よく巻きズレ修正されたガラスロールを得ることができる。
【発明の効果】
【００３０】
以上のように本発明によれば、ガラスフィルムの巻きズレの多少に関わらず、ガラスフィルムに破断を生じさせることなく、精度よく巻きズレを修正することができる。
【図面の簡単な説明】
【００３１】
【図１】本発明の実施形態に係るガラスフィルムの巻きズレ修正装置の要部を示す平面図である。
【図２】本発明の実施形態に係るガラスフィルムの巻きズレ修正装置の要部を示す側面図である。
【図３】図１に示す制御部の詳細を表したブロック図である。
【図４】図３に示す最大修正量調整部において、ガラスフィルムの巻きズレ修正時に実行されるフローチャートである。
【図５】図４に示す巻きズレ修正部において、ガラスフィルムの巻きズレ修正時に実行されるフローチャートである。
【発明を実施するための形態】
【００３２】
以下、本発明の実施形態を添付図面を参照して説明する。
【００３３】
図１及び図２は、本発明の一実施形態に係るガラスフィルムの巻きズレ修正装置を示す図である。これら各図に示すように、この巻きズレ修正装置は、ガラスロール１から順次ガラスフィルムＧを巻き出す巻出機構２を備えている。図２に示すように、巻出機構２は、可動ステージ３の上に搭載されている。可動ステージ３は、固定ベース４上に設けられたスライドガイド５に沿ってガラスフィルムＧの幅方向（図１中の矢印Ａ方向）に移動可能な状態とされている。これにより、可動ステージ３の移動によって、巻出機構２がガラスフィルムＧの幅方向に移動し、これに伴って、ガラスロール１から巻き出されるガラスフィルムＧの側縁（幅方向の端縁）の位置が調整されるようになっている。
【００３４】
巻出機構２によって巻き出されたガラスフィルムＧは、ガイドローラ群６（ガイドローラ６ａ，６ｂ，及び図外の複数のガイドローラ）に案内された状態で、張力を付与されながら搬送方向下流側（図１中の矢印Ｂ方向）へと搬送され、図外の搬送経路の下流端で再びガラスロールの状態に巻き取られるようになっている。このガイドローラ群６のうち、図中の第１ガイドローラ６ａは、巻出機構２と一体的に可動ステージ３側に搭載されており、第１ガイドローラ６ａの下流側の第２ガイドローラ６ｂは、固定ベース４側に搭載されている。
【００３５】
なお、ガイドローラ群６は、この実施形態では、動力を有さず、ガラスフィルムＧに対して従動回転するように構成されているが、ガラスフィルムＧの移動速度に応じて駆動回転するように構成されていてもよい。また、ガラスフィルムＧの保護のために、ガラスロール１の状態で、ガラスフィルムＧに重ねて保護シートが巻き取られていてもよい。この場合、巻出機構２によってガラスフィルムＧを巻き出す際に、ガラスフィルムＧから保護シートを剥離する。
【００３６】
また、ガラスフィルムＧは、例えば、厚みが１０〜２００μｍで、幅が１００〜２０００ｍｍの長尺体であり、液晶ディスプレイ・プラズマディスプレイ・有機ＥＬディスプレイ等のフラットパネルディスプレイ、太陽電池、リチウムイオン電池、デジタルサイネージ、タッチパネル、電子ペーパー等のデバイスのガラス基板や、有機ＥＬ照明等のカバーガラス、医療品のガラス容器、窓板ガラス、積層軽量窓ガラスなどに利用される。
【００３７】
そして、巻出機構２によって巻き出されたガラスフィルムＧの搬送経路上には、この実施形態では、ガラスフィルムＧの側縁位置を検出する側縁位置検出センサ７と、ガラスフィルムＧの側縁を含む側縁部の欠陥情報を検出する欠陥情報検出センサ８とが配置されている。そして、制御部９が、これらセンサ７，８の検出結果に基づいて可動ステージ３の移動量、換言すれば、可動ステージ３に搭載された巻出機構２の移動量を制御するようになっている。
【００３８】
側縁位置検出センサ７は、図１では、ガラスフィルムＧの搬送経路上の定位置で、ガラスフィルムＧの幅方向の一端側にのみ配置されており、ガラスフィルムＧが検査エリアを通過することで、ガラスフィルムＧの側縁位置を順に検出するようになっている。側縁位置検出センサ７は、図１ではガラスフィルムＧの幅方向の一端側に配置されているが、両端側にそれぞれ配置されていてもよい。  
【００３９】
詳細には、この実施形態では、側縁位置検出センサ７は、第２ガイドローラ６ｂよりも下流側に配置されている。これは、次の理由による。すなわち、可動ステージ３をガラスフィルムＧの幅方向に移動させると、ガラスフィルムＧは、第１ガイドローラ６ａと第２ガイドローラ６ｂとの間で主に捻れる。そのため、第２ガイドローラ６ｂよりも上流側に側縁位置検出センサ７を配置すると、その下流側でガラスフィルムＧの側縁位置が更に変化する可能性があり、ガラスフィルムＧの巻きズレ修正精度が低下するおそれがある。これに対し、第２ガイドローラ６ｂよりも下流側では、ガラスフィルムＧは、第２ガイドローラ６ｂの回転軸と直交する方向（図１の矢印Ｂ方向）に沿って直進するように矯正されるため、第２ガイドローラ６ｂの下流側におけるガラスフィルムＧの側縁位置は、図外の搬送経路の下流端で再びガラスロールの状態に巻き取られるガラスフィルムＧの側縁位置と実質的に同一とみなすことができる。したがって、第２ガイドローラ６ｂの下流側に側縁位置検出センサ７を配置することが好ましく、この場合には、ガラスフィルムＧの巻きズレ修正精度の向上に寄与し得る。
【００４０】
ここで、上記の第１ガイドローラ６ａと第２ガイドローラ６ｂとの軸芯間距離Ｌは、ガラスフィルムＧの幅方向寸法Ｗの０．２５倍以上であることが好ましく、０．４倍以上であることが更に好ましい。すなわち、この軸芯間距離Ｌが、ガラスフィルムＧの幅方向寸法Ｗの０.２５倍未満となると、ガラスフィルムＧの側縁位置修正エリアの距離が短くなりすぎて、僅かな修正動作であってもガラスフィルムＧに過度な捻れが生じるおそれがある。したがって、軸芯間距離Ｌは、上記の数値範囲であることが好ましく、この範囲であれば、修正動作時にガラスフィルムＧに過度な捻れが生じるという事態を防止することができる。なお、軸芯間距離Ｌは長くなりすぎると、巻出機構２の移動結果が側縁位置検出センサ７の設置位置で反映されるまでに時間がかかりすぎ、修正精度が低下するおそれがあるため、軸芯間距離Ｌは、上記の数値範囲内でできるだけ小さく設定することが好ましい。
【００４１】
側縁位置検出センサ７としては、光学式、超音波式、風量式等などの種々の方式のセンサを使用することができる。光学式センサを使用する場合には、図２に示すように、ガラスフィルムＧの表裏面の一方側に投光部が配置され、他方側に受光部が配置される。  
【００４２】
欠陥情報検出センサ８は、ガラスフィルムＧの搬送経路上の定位置で、ガラスフィルムＧの幅方向の両端側にそれぞれ配置されており、ガラスフィルムＧが検査エリアを通過することで、ガラスフィルムＧの両側縁部の欠陥情報を順に検出するようになっている。ここで、欠陥情報には、欠陥の有無や、欠陥がある場合にはその大きさなどの情報が含まれる。
【００４３】
詳細には、この実施形態では、欠陥情報検出センサ８は、第１ガイドローラ６ａの下流側（図示例では、第１ガイドローラ６ａの下流側であって且つ第２ガイドローラ６ｂの上流側）に配置されている。これは、次の理由による。すなわち、ガラスフィルムＧを巻き出すに連れて、ガラスロール１の巻き径が小さくなるため、巻出機構２から第１ガイドローラ６ａに至るまでのガラスフィルムＧの通過経路の位置が上下方向で変化する。そのため、第１ガイドローラ６ａの上流側に欠陥情報検出センサ８を配置すると、センサ８からガラスフィルムＧの側縁部までの距離が変化するので、センサ８の合焦が不十分になり欠陥情報の検出精度が低下するおそれがある。これに対し、第１ガイドローラ６ａの下流側では、ガイドローラ群６によってガラスフィルムＧの上下方向位置がある程度一定となるため、欠陥情報の検出精度を良好に維持することができる。
【００４４】
欠陥情報検出センサ８としては、ＣＣＤカメラなどの各種撮像機器を使用することができる。また、欠陥情報検出センサ８は、図示しない画像処理部を有しており、撮像されたガラスフィルムＧの側縁部の画像を画像処理して側縁部の状態（欠陥（クラック）の有無や、欠陥の大きさ）を判定する。さらに、欠陥情報検出センサ８は、ガラスフィルムＧの表面の上方側（又は裏面の下方側）に配置してもよいし、ガラスフィルムＧの側縁の側方側に配置してもよい。ただし、側方側に配置した場合には、巻きズレによってガラスフィルムＧが幅方向に蛇行したときに、欠陥情報検出センサ８の合焦精度が悪化して、欠陥情報の検出精度が低下するおそれがある。そのため、この検出精度低下を防止する観点からは、欠陥情報検出センサ８は、ガラスフィルムＧの上方側又は下方側に配置することが好ましい。勿論、ガラスフィルムＧの上方又は下方に欠陥情報検出センサ８を配置する場合には、センサ８の検査エリアをガラスフィルムＧの蛇行範囲よりも広く設定しておくことが肝要である。
【００４５】
制御部９は、図３に示すように、巻出機構２の修正量（移動量）の上限値を決める最大修正量調整部９ａと、巻出機構２の幅方向位置を修正するために、最大修正量調整部９ａで決定された最大修正量に基づいて可動ステージ３を移動させる巻きズレ修正部９ｂとから構成されている。
【００４６】
最大修正量調整部９ａは、ガラスフィルムＧに割れが生じない範囲で、ガラスフィルムＧの所定の単位長さ当りの巻出機構２の修正量の上限値として第１最大修正量を設定する。具体的には、この第１最大修正量は、ガラスフィルムＧの厚み、幅方向寸法、材質等を考慮して、例えば、ガラスフィルムＧの巻き出し長さ１ｍ当たり０．０１ｍｍ以上２０ｍｍ以下の修正量になるように設定される。ここで、巻き出し長さ１ｍ当たりとは、制御区間を示す所定の単位長さ当たりを意味するものではなく、所定の単位長さ当たりの修正量を、巻き出し長さ１ｍ当たりに換算した場合を意味する。すなわち、ガラスフィルムＧの巻き出し長さ１ｍ当たりの第１最大修正量を２ｍｍに設定する場合の管理方法としては、例えば、ガラスフィルムＧの巻き出し長さ１ｍ（所定の単位長さ）毎に２ｍｍの修正量の制限がかかるようにしてもよいし、例えば、より制御区間を細分化して、ガラスフィルムＧの巻き出し長さ０．１ｍ（所定の単位長さ）毎に０．２ｍｍ（制御回数１０回分の修正量を合計すると、ガラスフィルムＧの巻き出し長さ１ｍ毎に２ｍｍ）の修正量の制限がかかるようにしてもよい。なお、この２つの制御方法では、後者の制御方法の方が好ましい。これは、ガラスフィルムＧの巻き出し長さに対して小刻みな制御がかけられる結果、巻出機構２が全体として小刻みに移動し、ガラスフィルムＧに作用する応力をより小さく抑えられるためである。換言すれば、ガラスフィルムＧに大きな応力が作用するのを未然に防止することができるためである。
【００４７】
巻きズレ修正部９ｂは、側縁位置検出センサ７で検出されたガラスフィルムＧの側縁位置と基準位置（ガラスフィルムＧに巻きズレがないときの側縁の位置）との間の幅方向のズレ量に基づいて可動ステージ３を移動させ、巻出機構２の幅方向位置を修正する。
【００４８】
詳細には、巻きズレ修正部９ｂは、ガラスフィルムＧの単位長さ毎にズレ量と第１最大修正量とを比較する。そして、ズレ量が第１最大修正量以下である場合には、その単位長さ区間でズレ修正方向にズレ量まで可動ステージ３を移動させ、巻出機構２の幅方向位置を修正する。一方、ズレ量が第１最大修正量を越える場合には、その単位長さ区間でズレ修正方向に第１最大修正量まで可動ステージ３を移動させ、巻出機構２の幅方向位置を修正する。
【００４９】
更に、この実施形態では、最大修正量調整部９ａは、欠陥情報検出センサ８で検出された欠陥情報からガラスフィルムＧの側縁部に欠陥が検出された場合に、ガラスフィルムＧの所定の単位長さ当りの巻出機構２の修正量の上限値を、第１最大修正量に代えてこれよりも小さい第２最大修正量（補助最大修正量）に一時的に設定変更するようになっている。これは、ガラスフィルムＧの側縁部に欠陥が存在していると、ガラスフィルムＧの破損強度が低下するため、欠陥が存在しない場合と同じ修正量の上限値を用いると、ガラスフィルムＧに破損が生じるおそれがあるためである。具体的には、第２最大修正量は、ガラスフィルムＧの厚み、幅方向寸法、材質等を考慮して、例えばガラスフィルムＧの巻き出し長さ１ｍ当たり０．００１ｍｍ以上２０ｍｍ未満の修正量になるように設定される。ここで、巻き出し長さ１ｍ当たりとは、制御区間を示す所定の単位長さ当たりを意味するものではなく、所定の単位長さ当たりの修正量を、巻き出し長さ１ｍ当たりに換算した場合を意味する。
【００５０】
次に、以上のように構成されたガラスフィルム巻きズレ修正装置の動作について説明する。
【００５１】
まず、巻出機構２によって、ガラスフィルムＧを所定の巻出速度で巻き出す。巻き出されたガラスフィルムＧは、第１ガイドローラ６ａと第２ガイドローラ６ｂの間に配置された欠陥情報検出センサ８によって側縁を含む側縁部の欠陥情報が検出された後、第２ガイドローラ６ｂの下流側に配置された側縁位置検出センサ７によって側縁の基準位置からのズレ量が検出される。
【００５２】
欠陥情報検出センサ８によってガラスフィルムＧの側縁部に欠陥が検出されなかった場合には、制御部９は、その単位長さ区間における巻出機構２の修正量の上限値として、第１最大修正量を設定する。そして、第１最大修正量とズレ量とを比較し、ズレ量が第１最大修正量よりも小さい場合には、その単位長さ区間においてズレ量分に相当する値だけ可動ステージ３を移動させ、巻出機構２の幅方向位置を修正する。これに対し、第１最大修正量とズレ量とを比較し、ズレ量が第１最大修正量よりも大きい場合には、その単位長さ区間において、ズレ量分に相当する値まで可動ステージ３をズレ修正方向に移動させずに、第１最大修正量に相当する値だけ可動ステージ３をズレ修正方向に移動させる。すなわち、単位長さ区間での巻出機構２の修正量を第１最大修正量に相当する値までとする。
【００５３】
そして、後続の単位長さ区間においても、欠陥情報検出センサ８によってガラスフィルムＧの側縁部に欠陥が検出されなかった場合には、上述の手順で、巻出機構２の幅方向位置の修正動作を繰り返し、ガラスフィルムＧの巻きズレを順次修正する。
【００５４】
これに対し、欠陥情報検出センサ８によってガラスフィルムＧの側縁部に欠陥が検出された場合には、制御部９は、その単位長さ区間における巻出機構２の修正量の上限値として、第１最大修正量に代えてこれよりも小さい第２最大修正量に一時的に設定変更する。そして、第２最大修正量とズレ量とを比較し、ズレ量が第２最大修正量よりも小さい場合には、その単位長さ区間においてズレ量分に相当する値だけ可動ステージ３をズレ修正方向に移動させ、巻出機構２の幅方向位置を修正する。一方、第２最大修正量とズレ量とを比較し、ズレ量が第２最大修正量よりも大きい場合には、その単位長さ区間において、第２最大修正量に相当する値だけ可動ステージ３をズレ修正方向に移動させる。すなわち、単位長さ区間での巻出機構２の修正量を第２最大修正量に相当する値までとする。
【００５５】
さらに、この制御部９での制御手順を、図４及び図５に示すフローチャートに基づいて詳述する。なお、図４は、制御部９の最大修正量調整部９ａで実行されるフローチャートであって、図５は、制御部９の巻きズレ修正部９ｂで実行されるフローチャートである。
【００５６】
図４に示すように、制御部９の最大修正量調整部９ａでは、まず、ステップＳ1で、単位長さ区間において欠陥情報検出センサ８によって欠陥が検出されたか否かが判断される。このステップＳ１で欠陥が検出されなかったと判断された場合には、ステップＳ２で、それ以前の単位長さ区間において、既に検出された欠陥が存在するか否かが判断される。そして、既に検出された欠陥が存在する場合には、ステップＳ３でその既に検出された欠陥が側縁位置検出センサ７を通過したか否かが判断される。ここで、既に検出された欠陥が側縁位置検出センサ７を通過したか否かは、欠陥情報検出センサ８で検出された欠陥が側縁位置検出センサ７に到達するまでの時間が経過したか否かにより判断するものとする。なお、この到達時間は、最大修正量調整部９ａの図示しないタイマによって計測される。その結果、既に検出された欠陥が側縁位置検出センサ７を通過している場合には、ステップＳ４に移行し、巻出機構２の修正量の上限値を第１最大修正量に設定する。また同様に、ステップＳ２で、検出された欠陥が未だ存在しないと判断された場合にも、ステップＳ４に移行し、巻出機構２の修正量の上限値を第１最大修正量に設定する。そして、ステップＳ５に移行して、ステップＳ４で設定された第１最大修正量を巻きズレ修正部９ｂに出力する。
【００５７】
一方、ステップＳ1で、単位長さ区間において欠陥情報検出センサ８によって欠陥が検出されたと判断された場合には、ステップＳ６に移行して、巻出機構２の修正量の上限値を第２最大修正量に設定する。また同様に、ステップＳ３で、既に検出された欠陥が側縁位置検出センサ７を未だ通過していないと判断された場合、換言すれば、欠陥情報検出センサ８と側縁位置検出センサ７との間に欠陥が存在している場合にも、ステップＳ６に移行して、巻出機構２の修正量の上限値を第２最大修正量に設定する。そして、ステップＳ５に移行して、ステップＳ６で設定された第２最大修正量を巻きズレ修正部９ｂに出力する。
【００５８】
ここで、図４に示すフローチャートは、巻出機構２の最大修正量を一旦第２最大修正量に設定変更してから最大修正量を再び第１最大修正量に戻すまでの時間を、欠陥情報検出センサ８で最後に検出された欠陥が側縁位置検出センサ７を通過するまでの時間とする場合を例示している。
【００５９】
図５に示すように、制御部９の巻きズレ修正部９ｂでは、まず、ステップＳ７で、最大修正量調整部９ａから上述の手順で決定された最大修正量（第１最大修正量又は第２最大修正量）が入力される。そして、ステップＳ８で、側縁位置検出センサ７の検出結果に基づいて、ガラスフィルムＧの側縁位置が基準位置からズレているか否かが判断される。その結果、ガラスフィルムＧの側縁位置にズレがあると判断された場合には、ステップＳ９に移行し、ガラスフィルムＧの側縁位置のズレ量の修正に必要な巻出機構の修正量が、最大修正量以下であるか否かが判断される。その結果、最大修正量以下であると判断された場合には、ステップＳ１０に移行し、巻出機構２（この実施形態では可動ステージ３）をズレが修正される方向に対してズレ量まで移動させる。一方、最大修正量を超えると判断された場合には、ステップＳ１１に移行し、巻出機構２をズレが修正される方向に対して最大修正量まで移動させる。
【００６０】
以上のような本実施形態に係るガラスフィルムの巻きズレ修正装置によれば、ロール・トゥー・ロール装置で、ガラスロールから巻き出したガラスフィルムを再びガラスロールの状態に巻き戻すことにより、巻きズレの大きなガラスロールであっても、巻きズレ修正時に生じる応力を最小限に抑えつつ、最終的に巻きズレが実質的にないガラスロールに修正することが可能となる。
【００６１】
なお、本発明は上記の実施形態に限定されるものではなく、種々の形態で実施することができる。例えば、上記の実施形態では、巻出機構２の最大修正量を、第１最大修正量と、欠陥が存在する場合の補助的な第２最大修正量との中から１つを選択する場合を説明したが、欠陥の大きさに応じて、補助的な最大修正量を予め複数設定しておいてもよい。
【００６２】
また、巻出機構２から巻き出されたガラスフィルムＧの巻きズレを修正した後、その巻きズレを修正したガラスフィルムＧを図外の巻取機構で再度ガラスロールの状態に巻取る場合を説明したが、巻取機構から取り出したガラスロールを再び巻出機構２に設置し、同一のガラスフィルムＧに対して２回以上の巻きズレ修正工程を実行するようにしてもよい。
【実施例１】
【００６３】
本発明の有用性を実証するために、対比試験を行った。この対比試験の条件は次の通りである。
【００６４】
＜実施例＞
使用するガラスフィルムは、幅方向寸法が８００ｍｍ，厚みが７０μｍ，全長が２００ｍである。そして、このガラスフィルムをロール状に巻き取ったガラスロールは、巻きズレ修正前の状態で、１ｍ当たりの最大巻きズレ量が３ｍｍであって、全体での巻きズレ量が１５ｍｍである。第１ガイドローラと第２ガイドローラとの間の軸芯間距離は、５００ｍｍである。ガラスフィルムの搬送速度（巻き出し速度）は、５ｍ／分である。側縁位置検出センサには光学式センサを使用し、その位置検出範囲は基準位置を中心に幅方向に±２５ｍｍとする。欠陥情報検出センサにはＣＣＤカメラを使用し、その観察範囲は基準位置を中心に幅方向に±１５ｍｍとする。そして、第１最大修正量をガラスフィルムの送り長さ１ｍ当たり２ｍｍに設定し、第２最大修正量をガラスフィルムの送り長さ１ｍ当たり０．００５ｍｍに設定する。
【００６５】
以上の条件で、ガラスロールの巻きズレ修正を行った結果、ガラスフィルムの送り長さ１ｍ当たりの最大巻きズレ量が１．５ｍｍ、ガラスロール全体での巻きズレ量が３ｍｍのガラスロールを得た。更に、このガラスロールを再度同一条件で巻き直した結果、ガラスフィルム１ｍ当たりの最大巻きズレ量と、ガラスロール全体での巻きズレ量とが、それぞれ０．２ｍｍ未満となり、実質的に巻きズレのないガラスロールを得た。
【００６６】
なお、巻き取られたガラスロールの巻きズレ量は、側縁位置検出センサ７と同じセンサをガラスフィルムの巻取機構の直前に設置し、その位置における蛇行状態を検出することで測定した。
【００６７】
＜比較例＞
比較例では、実施例で用いたガラスロールと同一の巻きズレ量を有するガラスロールに対して、修正量の上限値（第１最大修正量及び第２最大修正量）を設定せずに巻きズレ修正を行った。それ以外の条件は、実施例と共通とする。その結果、巻きズレ修正途中に、第２ガイドローラ付近でガラスフィルムが破断するという事態が生じるに至った。
【符号の説明】
【００６８】
１          ガラスロール
２          巻出機構
３          可動ステージ
４          固定ベース
５          スライドガイド
６          ガイドローラ群
６ａ，６ｂ  ガイドローラ
７          側縁位置検出センサ
８          欠陥情報検出センサ
９          制御部
９ａ        最大修正量調整部
９ｂ        ズレ修正部
Ｇ          ガラスフィルム
【図１】
0005633467.tif 000002
【図２】
0005633467.tif 000003
【図３】
0005633467.tif 000004
【図４】
0005633467.tif 000005
【図５】
0005633467.tif 000006